(57)【要約】【課題】本発明は、非常用照明器具の内部の配線を簡素にできる照明装置を提供することを目的とする。【解決手段】第１電力供給ラインと、第２電力供給ラインと、該第１電力供給ラインに設けられたスイッチと、ＬＥＤランプと、該第２電力供給ラインに接続され、該ＬＥＤランプを点灯させるＬＥＤ点灯装置と、該第２電力供給ラインから該ＬＥＤ点灯装置への電力供給がなくなったときの明るさを確保する非常灯ユニットと、該第１電力供給ラインに電力が印加されているか否かを検出する検出部と、を有する非常用照明器具と、を備え、該ＬＥＤ点灯装置は、該検出部で該第１電力供給ラインに電力が印加されていることが検出されると該ＬＥＤランプを点灯し、該検出部で該第１電力供給ラインに電力が印加されていないことが検出されると該ＬＥＤランプを消灯する。【選択図】図２
2017224574.tif 000002
【特許請求の範囲】
【請求項１】
第１電力供給ラインと、  
第２電力供給ラインと、
前記第１電力供給ラインに設けられたスイッチと、
ＬＥＤランプと、前記第２電力供給ラインに接続され、前記ＬＥＤランプを点灯させるＬＥＤ点灯装置と、前記第２電力供給ラインから前記ＬＥＤ点灯装置への電力供給がなくなったときの明るさを確保する非常灯ユニットと、前記第１電力供給ラインに電力が印加されているか否かを検出する検出部と、を有する非常用照明器具と、を備え、
前記ＬＥＤ点灯装置は、前記検出部で前記第１電力供給ラインに電力が印加されていることが検出されると前記ＬＥＤランプを点灯し、前記検出部で前記第１電力供給ラインに電力が印加されていないことが検出されると前記ＬＥＤランプを消灯することを特徴とする照明装置。
【請求項２】
前記第１電力供給ラインに接続され、前記スイッチによりオンオフ制御される一般照明器具を備えたことを特徴とする請求項１に記載の照明装置。
【請求項３】
前記検出部は、前記非常用照明器具に設けられた電流センサーであることを特徴とする請求項１又は２に記載の照明装置。
【請求項４】
前記検出部は、前記非常用照明器具に設けられた電圧センサーであることを特徴とする請求項１又は２に記載の照明装置。
【請求項５】
前記ＬＥＤ点灯装置は、前記第２電力供給ラインの電圧から、前記ＬＥＤ点灯装置の制御に用いる電圧を生成する制御電源回路を有し、
前記非常灯ユニットは、前記制御電源回路で生成された電圧の供給を受けることを特徴とする請求項１〜４のいずれか１項に記載の照明装置。
【請求項６】
前記非常用照明器具に設けられた電池を備え、
前記非常灯ユニットは、前記制御電源回路で生成された電圧により前記電池を充電し、
前記非常灯ユニットは、前記制御電源回路からの電圧供給がなくなると、前記電池を利用して前記ＬＥＤランプを点灯させることを特徴とする請求項５に記載の照明装置。
【請求項７】
前記非常用照明器具は、前記第１電力供給ラインと前記第２電力供給ラインが接続された端子台を有することを特徴とする請求項１〜６のいずれか１項に記載の照明装置。
【請求項８】
前記ＬＥＤ点灯装置に固定された第１コネクタと、
前記非常灯ユニットに固定された第２コネクタと、を備え、
前記検出部は前記非常灯ユニットに接続され、
前記検出部の出力は、前記第２コネクタと前記第１コネクタを介して、前記ＬＥＤ点灯装置に伝送され、
前記非常灯ユニットは、前記第１コネクタと前記第２コネクタを介して、前記制御電源回路で生成された電圧の供給を受けることを特徴とする請求項５又は６に記載の照明装置。
【請求項９】
前記非常用照明器具は、前記第２電力供給ラインが接続され、前記第１電力供給ラインが接続されない端子台を備え、
前記第１電力供給ラインは、前記非常用照明器具の中を通り、
前記検出部は、前記非常用照明器具の中の前記第１電力供給ラインに電力が印加されているかを検出する非接触型の電流センサーであることを特徴とする請求項１〜６のいずれか１項に記載の照明装置。
【請求項１０】
前記非常用照明器具は、前記第２電力供給ラインが接続された端子台を有し、
前記ＬＥＤランプのソケットと前記ＬＥＤ点灯装置を接続する配線と、前記ソケットと前記非常灯ユニットを接続する配線は、前記ソケットから前記端子台までの長さより短いことを特徴とする請求項１〜８のいずれか１項に記載の照明装置。
【請求項１１】
前記ＬＥＤ点灯装置と前記非常灯ユニットは重ねて設けられたことを特徴とする請求項１０に記載の照明装置。
【請求項１２】
前記非常用照明器具に設けられた電池と、
前記非常用照明器具に設けられた非常用光源と、を備え、
前記非常灯ユニットは、前記制御電源回路で生成された電圧により前記電池を充電し、
前記非常灯ユニットは、前記制御電源回路からの電圧供給がなくなると、前記電池を利用して前記非常用光源を点灯させることを特徴とする請求項５に記載の照明装置。
【請求項１３】
前記非常用光源を収容する非常用光源ユニットを備え、
前記非常灯ユニットは前記非常用光源ユニットに収容されたことを特徴とする請求項１２に記載の照明装置。
【請求項１４】
前記電池は非常用光源ユニットに収容されたことを特徴とする請求項１３に記載の照明装置。
【請求項１５】
前記ＬＥＤ点灯装置に設けられ、前記ＬＥＤ点灯装置の動作状況を監視する第１マイクロコンピュータと、
前記非常灯ユニットに設けられ、前記非常灯ユニットの動作状況を監視する第２マイクロコンピュータと、
ディスプレイと、を備え、
前記第１マイクロコンピュータと前記第２マイクロコンピュータが接続され、
前記第１マイクロコンピュータ又は前記第２マイクロコンピュータは、前記ＬＥＤ点灯装置又は前記非常灯ユニットの動作状態を前記ディスプレイに表示させることを特徴とする請求項１〜１４のいずれか１項に記載の照明装置。
【請求項１６】
非常灯ユニットに接続された点検スイッチを押すことにより、前記動作状態を外部に表示することを特徴とする請求項１５に記載の照明装置。
【請求項１７】
前記点検スイッチは、リモコンスイッチであることを特徴とする請求項１６に記載の照明装置。
【請求項１８】
前記スイッチのオンオフと同期して、電流が流れるインピーダンス素子を備え、
前記第１電力供給ラインに電力を供給する電源からみて、前記非常用照明器具は終端に接続され、
前記検出部は、前記インピーダンス素子に流れる電流を検出することで、前記第１電力供給ラインに電力が印加されているか否かを検出することを特徴とする請求項２に記載の照明装置。
【発明の詳細な説明】
【技術分野】
【０００１】
本発明は、非常灯機能を備えた照明装置に関する。
【背景技術】
【０００２】
特許文献１には、壁スイッチのオンオフによって、常用点灯装置に給電せずに光源を消灯させつつ、非常灯ユニットに給電を継続することで電池を充電状態に保つことが開示されている。
【先行技術文献】
【特許文献】
【０００３】
【特許文献１】特開２０１４−１０２９５６号公報
【発明の概要】
【発明が解決しようとする課題】
【０００４】
一般照明器具と、火災又は停電等により一般照明器具が消灯したときの明るさを確保する非常用照明器具と、を有する照明装置がある。非常用照明器具は、一般照明器具と同期した通常の点灯に用いるＬＥＤ点灯装置と、非常時の点灯に用いる非常灯ユニットを有する。このような照明装置においては、一般照明器具と非常用照明器具に搭載されるＬＥＤ点灯装置に第１電源が接続されることでこれらが同期してオンオフし、非常灯ユニットの電池を充電するために非常灯ユニットに第２電源を接続することが考えられる。そうすると、非常用照明器具の内部の配線が複雑になってしまい、外観上一般照明器具と非常用照明器具は全く同じであるにも関わらず、非常用照明器具を一般照明器具とは別機種として開発及び生産管理しなければならなかった。
【０００５】
本発明は、上述のような課題を解決するためになされたもので、非常用照明器具の内部の配線を簡素にできる照明装置を提供することを目的とする。
【課題を解決するための手段】
【０００６】
本願の発明に係る照明装置は、第１電力供給ラインと、第２電力供給ラインと、該第１電力供給ラインに設けられたスイッチと、ＬＥＤランプと、該第２電力供給ラインに接続され、該ＬＥＤランプを点灯させるＬＥＤ点灯装置と、該第２電力供給ラインから該ＬＥＤ点灯装置への電力供給がなくなったときの明るさを確保する非常灯ユニットと、該第１電力供給ラインに電力が印加されているか否かを検出する検出部と、を有する非常用照明器具と、を備え、該ＬＥＤ点灯装置は、該検出部で該第１電力供給ラインに電力が印加されていることが検出されると該ＬＥＤランプを点灯し、該検出部で該第１電力供給ラインに電力が印加されていないことが検出されると該ＬＥＤランプを消灯することを特徴とする。
【発明の効果】
【０００７】
本発明によれば、非常用照明器具は、第２電力供給ラインから電力供給を受け、第１電力供給ラインから電力供給を受けないように構成されているので、非常用照明器具の内部の配線を簡素にできる。
【図面の簡単な説明】
【０００８】
【図１】実施の形態１に係る照明装置の断面図である。
【図２】非常用照明器具の断面図である。
【図３】ＬＥＤ点灯装置の構成を示すブロック図である。
【図４】非常灯ユニットの構成を示すブロック図である。
【図５】非常用照明器具の動作を示す図である。
【図６】比較例に係る非常用照明器具の断面図である。
【図７】比較例に係る非常灯ユニットのブロック図である。
【図８】実施の形態２に係るＬＥＤ点灯装置等のブロック図である。
【図９】実施の形態２に係る非常灯ユニット等のブロック図である。
【図１０】実施の形態３に係る非常用照明器具の断面図である。
【図１１】実施の形態４に係る非常用照明器具の断面図である。
【図１２】実施の形態５に係る非常用照明器具の断面図である。
【図１３】実施の形態６に係る非常用照明器具の断面図である。
【図１４】一般照明器具の断面図である。
【図１５】実施の形態７に係る非常用照明器具の断面図である。
【図１６】実施の形態８に係るＬＥＤ点灯装置のブロック図である。
【図１７】実施の形態８に係る非常灯ユニットのブロック図である。
【図１８】実施の形態９に係る照明装置の断面図である。
【図１９】非常用照明器具の断面図である。
【発明を実施するための形態】
【０００９】
本発明の実施の形態に係る照明装置について図面を参照して説明する。同じ又は対応する構成要素には同じ符号を付し、説明の繰り返しを省略する場合がある。
【００１０】
実施の形態１．
図１は、実施の形態１に係る照明装置の断面図である。照明装置は、一般照明器具４と非常用照明器具５を備えている。一般照明器具４は平常時に用いられる照明器具である。非常用照明器具５は平常時だけでなく非常時にも用いられる照明器具である。非常時とは照明装置が停電等、電源の供給を受けられなくなった状態である。
【００１１】
照明装置は第１電源１と第２電源２に接続されている。第１電源１は、第１電力供給ライン１Ａを介して一般照明器具４と非常用照明器具５に接続されている。第１電力供給ライン１Ａにはスイッチ３が設けられている。スイッチ３は例えば使用者が操作する壁スイッチである。スイッチ３により、第１電力供給ライン１Ａに接続された一般照明器具４がオンオフ制御される。
【００１２】
第２電源２は、第２電力供給ライン２Ａを介して非常用照明器具５に接続されている。第１電源１と第２電源２は１線を共用しており、その線を共用線１Ｂとする。共用線１ＢはＧＮＤ電位になっている。
【００１３】
図２は、非常用照明器具５の断面図である。非常用照明器具５は、ＬＥＤ点灯装置１０と、非常灯ユニット１００と、これらのいずれかによって制御されるＬＥＤランプ９を備えている。ＬＥＤ点灯装置１０と非常灯ユニット１００は、筐体内５Ａ内の配線とソケット８を介してＬＥＤランプ９に接続されている。
【００１４】
非常用照明器具５の上面には、第１電力供給ライン１Ａと第２電力供給ライン２Ａが接続された端子台７が設けられている。この端子台７を介して、第２電力供給ライン２ＡとＬＥＤ点灯装置１０が接続されている。ＬＥＤ点灯装置１０は、非常灯ユニット１００を介してＬＥＤランプ９に接続されている。ＬＥＤ点灯装置１０は、第２電力供給ライン２Ａから供給された電力でＬＥＤランプ９を点灯させる。なお、ＬＥＤランプ９は、複数のＬＥＤを備えるＬＥＤモジュールにおきかえてもよい。
【００１５】
ＬＥＤ点灯装置１０には非常灯ユニット１００が接続されている。非常灯ユニット１００には電池６が接続されている。電池６は非常用照明器具５の筐体５Ａ内に設けられている。端子台７には検出部１１０が接続されている。検出部１１０は、第１電力供給ライン１Ａに電力が印加されているか否かを検出するものである。検出部１１０は、例えば電流センサー又は電圧センサーである。検出部１１０として、非接触型の電流センサーを用いることが好ましい。
【００１６】
第１電力供給ライン１Ａは、端子台７内部の送り端子に接続され、非常用照明器具５の隣の一般照明器具４に電気的に接続される。第１電力供給ライン１Ａは端子台７を介して一般照明器具４に送られるだけなので、第１電力供給ライン１Ａは、非常用照明器具５内部の回路と電気的に接続されていない。非常用照明器具５のＬＥＤ点灯装置１０への電源供給は、第１電力供給ライン１Ａを介して第１電源１から供給されてはおらず、第２電力供給ライン２Ａを介して第２電源２から供給されている。
【００１７】
図３は、ＬＥＤ点灯装置１０の構成を示すブロック図である。ＬＥＤ点灯装置１０は、第２電源２に接続される入力フィルタ回路２０を有している。入力フィルタ回路２０は、例えばインダクタ又はコンデンサで構成されるノイズフィルタを備えることで、ノイズの除去を行う。入力フィルタ回路２０には整流回路３０が接続されている。整流回路３０は、ダイオードブリッジで構成され、電源電圧を全波整流する回路である。
【００１８】
整流回路３０には高調波抑制回路４０が接続されている。高調波抑制回路４０は、昇圧チョッパ方式の力率改善回路である。高調波抑制回路４０は、入力電流が正弦波になるようにスイッチングを行い、チョッパ出力電圧を一定に制御するものである。高調波抑制回路４０には点灯回路５０が接続されている。点灯回路５０は、ＬＥＤランプ９に直流電流を流し、ＬＥＤランプ９を点灯させる回路である。点灯回路５０は、例えば、バックコンバータ方式又はフライバック方式を利用してＬＥＤランプ９を定電流制御する。
【００１９】
制御回路７０は、高調波抑制回路４０と点灯回路５０の動作を制御する回路である。制御回路７０は例えばマイクロコンピュータで構成される。制御電源回路６０は、整流回路３０で整流された直流高電圧から、降圧チョッパ又はドロッパー等の構成を用いて低電圧を生成する回路である。制御電源回路６０で生成した電圧は、制御回路７０のマイクロコンピュータに供給され、これにより制御回路７０が動作する。
【００２０】
図４は、非常灯ユニット１００の構成を示すブロック図である。非常灯ユニット１００は充電回路１２０を備えている。充電回路１２０は、前述の制御電源回路６０に接続され、制御電源回路６０で生成した電圧の供給を受け、電池６に充電電流を供給するものである。これにより、非常灯ユニット１００は、制御電源回路６０で生成された電圧により電池６を充電することができる。
【００２１】
この電池６には点灯回路１３０が接続されている。点灯回路１３０はＬＥＤランプ９に接続されている。停電等により第２電力供給ライン２Ａから制御電源回路６０への電力供給がなくなると、制御電源回路６０から充電回路１２０への電圧供給もなくなる。このように制御電源回路６０からの電圧供給がなくなると、非常灯ユニット１００の点灯回路１３０は、電池６を電源にしてＬＥＤランプ９を点灯させる。
【００２２】
非常灯ユニット１００は、検出部１１０に接続された電流検出回路１１１を備えている。電流検出回路１１１は、検出部１１０からの信号に従い、第１電力供給ライン１Ａの電流の有無を制御回路７０に入力する回路である。
【００２３】
図５は、非常用照明器具５の動作を示す図である。非常用照明器具５の動作は３つの動作モードに大別される。第１モードは、スイッチ３がオンされ、かつ第２電源２からＬＥＤ点灯装置１０に電力供給されている場合の動作である。制御回路７０は、電流検出回路１１１から第１電力供給ライン１Ａに電流が流れていることを知らせる信号を受けることで、スイッチ３がオンであることを検知する。この場合、制御回路７０は、点灯回路５０を動作させてＬＥＤランプ９を点灯させる。このとき、制御電源回路６０を電源として充電回路１２０を介して電池６が充電される。
【００２４】
第２モードは、スイッチ３がオフされたことで第１電力供給ライン１Ａに電流が流れていない場合の動作である。第１電力供給ライン１Ａに電流が流れていないので、一般照明器具４は点灯していない。その場合、制御回路７０は、電流検出回路１１１から第１電力供給ライン１Ａに電流が流れていないことを知らせる信号を受けることで、スイッチ３がオフであることを検知する。そして、制御回路７０は、点灯回路５０のみを停止してＬＥＤランプ９を消灯させる。制御回路７０は、点灯回路５０を停止させるが、制御電源回路６０の動作は継続させる。これにより、制御電源回路６０から充電回路１２０へ、非常灯ユニット１００の制御電圧が供給され続ける。すなわち、充電回路１２０による電池６の充電、及び電流検出回路１１１による電流検出結果の出力は継続する。
【００２５】
第３モードは、火災や停電等により第２電源２から第２電力供給ライン２Ａを介してＬＥＤ点灯装置１０への電力供給がなくなった場合の動作である。この場合、制御電源回路６０から非常灯ユニット１００への電圧供給がなくなる。これに応じて、非常灯ユニット１００の点灯回路１３０は、電池６を電源にしてＬＥＤランプ９を点灯させる。
【００２６】
第１及び第２モードは、ＬＥＤ点灯装置１０は、検出部１１０で第１電力供給ライン１Ａに電力が印加されていることが検出されるとＬＥＤランプ９を点灯し、検出部１１０で第１電力供給ライン１Ａに電力が印加されていないことが検出されるとＬＥＤランプ９を消灯するというものである。これにより、非常用照明器具５の動作をスイッチ３のオンオフに同期させることができる。また、第３モードの実行により停電時における明るさを確保できる。
【００２７】
ここで、本発明の実施の形態１に係る照明装置の特徴の理解を容易にするために、比較例について説明する。図６は、比較例に係る非常用照明器具５Ｃの断面図である。第１電源１は端子台７を介してＬＥＤ点灯装置１０に接続されている。ＬＥＤ点灯装置１０は非常灯ユニット１００Ａを介してＬＥＤランプ９に接続されている。ＬＥＤ点灯装置１０は、第１電力供給ライン１Ａに設けられたスイッチ３のオンオフに従い、ＬＥＤランプ９を点灯させたり消灯させたりする。
【００２８】
第２電力供給ライン２Ａは、端子台７を介して、非常灯ユニット１００Ａに接続されている。非常灯ユニット１００Ａは、第２電源２により電池６を充電する。そして、非常灯ユニット１００Ａは第２電源２から電力が供給されない場合、つまり、第１電源１と第２電源２が共に供給されない停電時に、電池６を電源にしてＬＥＤランプ９を点灯させる。
【００２９】
図７は、比較例に係る非常灯ユニット１００Ａのブロック図である。非常灯ユニット１００Ａは、入力フィルタ回路２０、整流回路３０及び高調波抑制回路４０を備えている。充電回路１２０Ａは、高調波抑制回路４０により一定に保たれたチョッパ出力電圧を、フライバック等の回路方式を用いて、電池電圧まで降圧して電池６の充電電流を供給するものである。
【００３０】
電源電圧検出回路１４０は、非常灯ユニット１００Ａに電源が供給されているか否かを検出し、電源が供給されているときは点灯回路１３０を停止して電池６を充電し、電源の供給が無くなったときには電池６を電源として点灯回路１３０を動作させＬＥＤランプ９を点灯させる。
【００３１】
比較例のＬＥＤ点灯装置は図３に示す構成を有する。したがって、比較例のＬＥＤ点灯装置１０と、非常灯ユニット１００Ａの両方に、入力フィルタ回路２０、整流回路３０及び高調波抑制回路４０が重複して設けられているため、無駄なロスが発生して回路変換効率を低下させる。また、図６から分かるように、比較例では第１電源１の第１電力供給ライン１ＡがＬＥＤ点灯装置１０に接続され、第２電源２の第２電力供給ライン２Ａが非常灯ユニット１００Ａに接続されるので、非常用照明器具５Ｃの内部の配線が複雑である。
【００３２】
これに対し、本発明の実施の形態１に係る照明装置では、ＬＥＤ点灯装置１０に入力フィルタ回路２０、整流回路３０及び高調波抑制回路４０を設け、非常灯ユニット１００には入力フィルタ回路２０、整流回路３０及び高調波抑制回路４０を設けていない。非常灯ユニット１００の電源は、第２電源２の第２電力供給ラインの電圧からＬＥＤ点灯装置１０の制御に用いる電圧を生成する制御電源回路６０が供給する。制御電源回路６０から非常灯ユニット１００に電圧供給し、非常灯ユニット１００は図６の比較例に示すような第２電力供給ライン２Ａからの電圧供給を受けないようにすることで、回路変換効率を向上させることができる。
【００３３】
また、検出部１１０により第１電力供給ライン１Ａの電流の有無を検出することは、スイッチ３のオンオフを検知することと等価である。そのため、スイッチ３の動作に基づき一般照明器具４と同期して非常用照明器具５を点灯及び消灯させることができる。検出部１１０があるので、第１電力供給ライン１Ａと非常用照明器具５の内部回路を電気的に接続する必要はない。よって、非常用照明器具５の内部の配線を簡素にできる。
【００３４】
非常灯ユニット１００は、制御電源回路６０から電圧の供給を受けるので、非常灯ユニット１００にＡＣ電源は供給されない。そのため、非常灯ユニット１００の絶縁距離も大型部品も不要になるため、比較例の非常用照明器具５Ｃと同様の動作を可能としつつ、非常灯ユニット１００を比較例の非常灯ユニット１００Ａより小型化できる。
【００３５】
実施の形態１に係る照明装置の最も重要な特徴は、非常用照明器具５の電源として第２電力供給ライン２Ａの電力を利用し第１電力供給ライン１Ａの電力を利用しないことで配線を簡素化しつつ、検出部１１０により第１電力供給ライン１Ａに電力が印加されているかを検知することで一般照明器具４と非常用照明器具５の動作を同期させたことである。この特徴を失わない範囲で様々な変形が可能である。以下の実施の形態に係る照明装置についても同様である。なお、以下の実施の形態に係る照明装置は実施の形態１との類似点が多いので実施の形態１との相違点を中心に説明する。
【００３６】
実施の形態２．
図８は、実施の形態２に係るＬＥＤ点灯装置等のブロック図である。ＬＥＤ点灯装置１０に第１コネクタ８０が固定されている。第１コネクタ８０は、制御電源回路６０と制御回路７０に接続されている。図９は、実施の形態２に係る非常灯ユニット１００のブロック図である。非常灯ユニット１００には第２コネクタ８２が固定されている。第２コネクタ８２には、電流検出回路１１１と充電回路１２０が接続されている。第１コネクタ８０と第２コネクタ８２は、ハーネスを用いて接続されている。
【００３７】
検出部１１０は非常灯ユニット１００に接続されている。検出部１１０の出力は、第２コネクタ８２と第１コネクタ８０を介して、ＬＥＤ点灯装置１０に伝送される。また、非常灯ユニット１００は、第１コネクタ８０と第２コネクタ８２を介して、制御電源回路６０で生成された電圧の供給を受ける。このように、第１コネクタ８０と第２コネクタ８２を用いることで、ＬＥＤ点灯装置１０と非常灯ユニット１００の接続を簡略化できる。
【００３８】
実施の形態３．
図１０は、実施の形態３に係る非常用照明器具５の断面図である。端子台７には、第２電力供給ライン２Ａが接続され、第１電力供給ライン１Ａが接続されない。第１電力供給ライン１Ａは非常用照明器具５の中を通るだけである。検出部１１０は、非常用照明器具５の中の第１電力供給ライン１Ａに電力が印加されているかを検出する非接触型の電流センサーである。
【００３９】
検出部１１０として、非接触型の電流センサーを用いる場合は、第１電力供給ライン１Ａを端子台７に接続する必要がない。そこで本発明の実施の形態３では、検出部１１０を非接触型の電流センサーとし、検出部１１０で非常用照明器具５の筐体５Ａの中における第１電力供給ライン１Ａの電流の有無を検出することとした。これにより、一般照明器具４の端子台と同型の端子台７を利用しつつ、第１電力供給ライン１Ａを隣の一般照明器具４に送ることができる。
【００４０】
実施の形態４．
図１１は、実施の形態４に係る非常用照明器具５の断面図である。この非常用照明器具５は、第２電力供給ライン２Ａが接続された端子台７を有している。ＬＥＤ点灯装置１０と非常灯ユニット１００は筐体５Ａの中で重ねて設けられている。ＬＥＤランプ９のソケット８とＬＥＤ点灯装置１０を接続する配線と、ソケット８と非常灯ユニット１００を接続する配線は、どちらもソケット８から端子台７までの長さより短い。
【００４１】
非常用照明器具５は、電源線の取り込み穴を器具中央部に有するため、端子台７は非常用照明器具５の中心部付近に配置される。図６を参照しつつ説明した比較例においては、非常灯ユニット１００Ａのサイズが大きかったため、端子台７の左側にＬＥＤ点灯装置１０を設けた場合に、端子台７の右側に非常灯ユニット１００Ａを設けざるを得なかった。つまり、端子台７の右側か左側に、ＬＥＤ点灯装置１０と非常灯ユニット１００Ａをまとめて設けることはできなかった。このため、非常灯ユニット１００ＡからＬＥＤランプ９の給電用のソケット８への出力配線が長くなり、放射ノイズが非常に大きくなっていた。
【００４２】
これに対し、本発明の非常灯ユニット１００は小型である。そのため、給電用のソケット８の近くにＬＥＤ点灯装置１０と非常灯ユニット１００を設けることができる。具体的には、ＬＥＤ点灯装置１０と非常灯ユニット１００を端子台７の左側に納めることができる。よって、給電用のソケット８と非常灯ユニット１００を接続する配線を短くして、非常用照明器具５を一般照明器具４と同等の放射ノイズレベルにできる。
【００４３】
実施の形態５．
図１２は、実施の形態５に係る非常用照明器具５の断面図である。この非常用照明器具５には電池６と非常用光源２００が設けられている。非常用光源２００は、非常用光源ユニット２０１に収容されている。非常灯ユニット１００は制御電源回路６０で生成された電圧により電池６を充電し、制御電源回路６０からの電圧供給がなくなると、電池６を利用して非常用光源２００を点灯させる。
【００４４】
このように、ＬＥＤ点灯装置１０によって点灯させる光源と、停電時に非常灯ユニット１００によって点灯させる光源を別々に設けても良い。非常灯ユニット１００は、第２電力供給ライン２ＡからＬＥＤ点灯装置１０への電力供給がなくなったときの明るさを確保するために設けられるものであり、非常灯ユニット１００の制御対象は、ＬＥＤランプ９でもよいし非常用光源２００でもよい。
【００４５】
実施の形態６．
図１３は、実施の形態６に係る非常用照明器具５の断面図である。非常用光源ユニット２０１に非常用光源２００が収容されている。そして、非常灯ユニット１００は非常用光源ユニット２０１に収容されている。
【００４６】
図１４は、一般照明器具４の断面図である。一般照明器具４は、前述の非常用光源ユニット２０１と同等の大きさを有する化粧箱カバー２０２を有している。これにより、一般照明器具４と、図１３の非常用照明器具５は同一の外観形状を有している。そのため、一般照明器具４と非常用照明器具５の筐体を共用化できる。なお、このように共用化された筐体を一般照明器具４として使用する場合は端子台７に第１電力供給ライン１Ａが接続され、非常用照明器具５として使用する場合は端子台７には第２電力供給ライン２Ａが接続される。
【００４７】
実施の形態７．
図１５は、実施の形態７に係る非常用照明器具５の断面図である。非常用光源ユニット２０１に電池６と非常灯ユニット１００が収容されている。電池６は非常灯ユニット１００と非常用光源２００間に配置されている。ＬＥＤ点灯装置１０と検出部１１０は非常灯ユニット１００に接続されている。
【００４８】
実施の形態７に係る非常用照明器具５の筐体は、一般照明器具４の筐体と共用化できるものである。共用化された筐体を一般照明器具４として使用する場合は端子台７には第１電力供給ライン１Ａが接続され、非常用照明器具５として使用する場合は端子台７には第２電力供給ライン２Ａが接続される。
【００４９】
実施の形態８．
図１６は、実施の形態８に係るＬＥＤ点灯装置１０のブロック図である。ＬＥＤ点灯装置１０に設けられた制御回路７０は、ＬＥＤ点灯装置１０の動作状況を監視する第１マイクロコンピュータを備えている。図８の第１コネクタ８０は、本実施形態ではデジタルインターフェース８５に置換されている。デジタルインターフェース８５は、制御電源回路６０と制御回路７０の第１マイクロコンピュータのＴＸ端子及びＲＸ端子が接続されたもので、ＵＡＲＴ通信を行うためのインターフェース端子である。
【００５０】
図１７は、実施の形態８に係る非常灯ユニット１００のブロック図である。非常灯ユニット１００に設けられた制御回路１７０は、非常灯ユニット１００の動作状況を監視する第２マイクロコンピュータを備えている。この第２マイクロコンピュータのＴＸ端子とＲＸ端子は、デジタルインターフェース８６に接続されている。このデジタルインターフェース８６は、ＬＥＤ点灯装置１０に接続されたデジタルインターフェース８５に接続される。デジタルインターフェース８５、８６は、非常用照明器具５の中で接続され、双方向のＵＡＲＴ通信を行う。制御回路７０の中の第１マイクロコンピュータと、制御回路１７０の中の第２マイクロコンピュータはこのように接続されている。
【００５１】
第１マイクロコンピュータは、ＬＥＤ点灯装置１０内の動作をモニターし、動作に異常がある場合、あるいは予め決められた寿命時間を過ぎた場合などに、デジタルインターフェース８５、８６を介して、非常灯ユニット１００の制御回路１７０の第２マイクロコンピュータに異常信号を送信する。
【００５２】
制御回路１７０にある第２マイクロコンピュータは、検出部１１０の検出内容をモニターするとともに、非常灯ユニット１００の内の動作をモニターし、非常灯ユニット１００に異常がある場合にはディスプレイ１６０に表示させる。また、第２マイクロコンピュータは、デジタルインターフェース８５、８６を介して第１マイクロコンピュータからＬＥＤ点灯装置１０の異常信号を受けたとき、その内容をディスプレイ１６０に表示させる。このように、第２マイクロコンピュータは、ＬＥＤ点灯装置１０又は非常灯ユニット１００の動作状態をディスプレイ１６０に表示させる。第１マイクロコンピュータがＬＥＤ点灯装置１０又は非常灯ユニット１００の動作状態をディスプレイ１６０に表示させてもよい。
【００５３】
さらに、非常灯ユニット１００には、作業者が押下することができる点検スイッチ１５０が接続されている。この点検スイッチ１５０が押された場合、制御回路１７０の第２マイクロコンピュータは、ＬＥＤ点灯装置１０と非常灯ユニット１００の回路動作を点検し、その動作状態を外部のディスプレイ１６０に表示させる。なお、点検スイッチ１５０をリモコンスイッチに置き換えても良い。
【００５４】
このように、第１マイクロコンピュータと第２マイクロコンピュータの間で通信を行うことで、回路異常発生時、寿命到達時、点検スイッチ１５０又はリモコンスイッチによる点検時に各内容をディスプレイ１６０に表示する。これにより、作業者は非常用照明器具５の状態を容易に把握することができる。
【００５５】
実施の形態９．
図１８は、実施の形態９に係る照明装置の断面図である。第１電力供給ライン１Ａに電力を供給する第１電源１からみて、非常用照明器具５は終端に接続されている。すなわち、非常用照明器具５の端子台７に接続された第１電力供給ライン１Ａは、非常用照明器具５の次の照明器具に送られない。そのため、実施の形態１の非常用照明器具５を終端に用いると、スイッチ３のオンオフに関わらず、非常用照明器具５の端子台７に電流が流れず、スイッチ３のオンオフを検出できないという課題がある。
【００５６】
図１９は、実施の形態９に係る非常用照明器具５の断面図である。上述の課題を解消するために、第１電力供給ライン１Ａに、スイッチ３のオンオフと同期して電流が流れるインピーダンス素子１１２を接続した。このインピーダンス素子１１２は、端子台７の第１電力供給ライン１Ａの送り端子に接続される。インピーダンス素子１１２は、例えば、抵抗又はコンデンサ素子である。
【００５７】
このように、第１電力供給ライン１Ａの終端にインピーダンス素子１１２を接続することにより、スイッチ３のオンオフに同期してインピーダンス素子１１２に電流が流れる。そして、検出部１１０はインピーダンス素子１１２に流れる電流を検出することで第１電力供給ライン１Ａに電力が印加されているか否かを検出する。これにより、実施の形態１と同様、非常用照明器具５のオンオフを一般照明器具４のオンオフと同期させることができる。
【００５８】
実施の形態１−９において言及した制御回路７０、１７０はマイコンとすることが好ましい。しかしながら、制御回路７０、１７０の機能は処理回路によって実現されればよい。処理回路は、専用のハードウェアであっても、メモリに格納されるプログラムを実行するＣＰＵ（Central Processing Unit、中央処理装置、処理装置、演算装置、マイクロプロセッサ、マイクロコンピュータ、プロセッサ、ＤＳＰともいう）であってもよい。制御回路７０、１７０が専用のハードウェアである場合、処理回路は、例えば、単一回路、複合回路、プログラム化したプロセッサ、並列プログラム化したプロセッサ、ＡＳＩＣ、ＦＰＧＡ、またはこれらを組み合わせたものが該当する。図３、４等に示す各回路の機能それぞれを処理回路で実現してもよいし、各部の機能をまとめて処理回路で実現してもよい。制御回路７０、１７０がＣＰＵの場合は、それらの機能はソフトウェア、ファームウェア、またはソフトウェアとファームウェアとの組み合わせにより実現される。ソフトウェアやファームウェアはプログラムとして記述され、メモリに格納される。制御回路７０、１７０はメモリに記憶されたプログラムを読み出して実行することにより各機能を実現する。メモリとは、例えば、ＲＡＭ、ＲＯＭ、フラッシュメモリー、ＥＰＲＯＭ、ＥＥＰＲＯＭ等の不揮発性又は揮発性の半導体メモリや、磁気ディスク、フレキシブルディスク、光ディスク、コンパクトディスク、ミニディスク、ＤＶＤ等が該当する。制御回路７０、１７０はハードウェア、ソフトウェア、ファームウェアまたはこれらの組み合わせによって、各機能を実現することができる。なお、ここまでで説明した各実施の形態に係る照明装置の特徴は適宜に組み合わせて用いてもよい。
【符号の説明】
【００５９】
１Ａ  第１電力供給ライン、  ２Ａ  第２電力供給ライン、  ３  スイッチ、  ４  一般照明器具、  ５  非常用照明器具、  ５Ａ  筐体、  ６  電池、  ７  端子台、  ８  ソケット、  ９  ＬＥＤランプ、  １０  ＬＥＤ点灯装置、  ６０  制御電源回路、  １００  非常灯ユニット、  １１０  検出部、  １１２  インピーダンス素子、  １５０  点検スイッチ、  １６０  ディスプレイ
【図１】
2017224574.tif 000003
【図２】
2017224574.tif 000004
【図３】
2017224574.tif 000005
【図４】
2017224574.tif 000006
【図５】
2017224574.tif 000007
【図６】
2017224574.tif 000008
【図７】
2017224574.tif 000009
【図８】
2017224574.tif 000010
【図９】
2017224574.tif 000011
【図１０】
2017224574.tif 000012
【図１１】
2017224574.tif 000013
【図１２】
2017224574.tif 000014
【図１３】
2017224574.tif 000015
【図１４】
2017224574.tif 000016
【図１５】
2017224574.tif 000017
【図１６】
2017224574.tif 000018
【図１７】
2017224574.tif 000019
【図１８】
2017224574.tif 000020
【図１９】
2017224574.tif 000021